(57)【要約】      （修正有）【課題】嵩上げ部の強度を低下させることなく、その使用する金属材料の使用量を抑制し、もってコストの低減化を可能とする経済的な嵩上げ用溝蓋を提供するとともに、あわせて、重量の低減による運搬費等の低下や作業上の負担の低減を図ることを目的とする。【解決手段】溝蓋本体Ｍ下面側に嵩上げ部Ｋが形成された溝蓋Ｇにおいて、前記嵩上げ部が屈曲部材１０によって形成されていることを特徴とする嵩上げ用溝蓋に係り、前記屈曲部材は、波形部材又は円弧形若しくはＵ字形若しくはＶ字形部材であり、前記屈曲部材の屈曲方向は上下又は左右とすることができ、前記屈曲方向が上下である屈曲部材の谷部には補強板５０を立設することができる。【選択図】図１
0003142487.tif 000002
【実用新案登録請求の範囲】
【請求項１】
溝蓋本体下面側に嵩上げ部が形成された溝蓋において、
前記嵩上げ部が屈曲部材によって形成されていることを特徴とする嵩上げ用溝蓋。
【請求項２】
前記屈曲部材が波形部材又は円弧形若しくはＵ字形若しくはＶ字形部材である請求項１に記載の嵩上げ用溝蓋。
【請求項３】
前記屈曲部材の屈曲方向が上下又は左右である請求項１又は２に記載の嵩上げ用溝蓋。
【請求項４】
前記屈曲方向が上下である屈曲部材の谷部に補強板を立設した請求項３に記載の嵩上げ用溝蓋。
【請求項５】
前記嵩上げ部の前後に前板部及び後板部を有する請求項１ないし４のいずれか１項に記載の嵩上げ用溝蓋。
【請求項６】
前記前板部及び後板部の下端に内側への折曲部を有する請求項５に記載の嵩上げ用溝蓋。
【考案の詳細な説明】
【技術分野】
【０００１】
この考案は溝蓋本体下面側に嵩上げ部が形成された嵩上げ用溝蓋の改良に関する。
【背景技術】
【０００２】
側溝等に取り付けられる溝蓋には、溝蓋天面の高さを側溝ブロックの上面に合わせるために、溝蓋の下面側に嵩上げ部を形成した嵩上げ用溝蓋が知られている。添付図面の第１７図に示すように、従来のこの種嵩上げ用溝蓋６０は、溝蓋本体Ｍの下面側に角パイプ７０によって嵩上げ部Ｋを形成したものが一般的であった。溝蓋本体Ｍに関し、８０はベアリングバー、８１はツイストバー、８２はエンドプレート、８３はサイドプレートである。
【０００３】
しかしながら、図１７に示すような角パイプ７０では、嵩上げ部Ｋの制作に使用される鉄等の金属材料の消費量が大きくなり材料費が高くなる嫌いがある。また、金属材料の消費量が大きくなると重量が増加し、運搬費も高くなるばかりか、作業上の負担も大きい。
【特許文献１】特開２００７−２７７８３２号公報
【考案の開示】
【考案が解決しようとする課題】
【０００４】
そこで、この考案は、嵩上げ部の強度を低下させることなく、その使用する金属材料の使用量を抑制し、もってコストの低減化を可能とする経済的な嵩上げ用溝蓋を提供するとともに、あわせて、重量の低減による運搬費等の低下や作業上の負担の低減を図ることを目的とする。
【課題を解決するための手段】
【０００５】
すなわち、請求項１の考案は、溝蓋本体下面側に嵩上げ部が形成された溝蓋において、前記嵩上げ部が屈曲部材によって形成されていることを特徴とする嵩上げ用溝蓋に係る。
【０００６】
また、請求項２の考案は、前記屈曲部材が波形部材又は円弧形若しくはＵ字形若しくはＶ字形部材である請求項１に記載の嵩上げ用溝蓋に係る。
【０００７】
また、請求項３の考案は、前記屈曲部材の屈曲方向が上下又は左右である請求項１又は２に記載の嵩上げ用溝蓋に係る。
【０００８】
請求項４の考案は、前記屈曲方向が上下である屈曲部材の谷部に補強板を立設した請求項３に記載の嵩上げ用溝蓋に係る。
【０００９】
さらに、請求項５の考案は、前記嵩上げ部の前後に前板部及び後板部を有する請求項１ないし４のいずれか１項に記載の嵩上げ用溝蓋に係る。
【００１０】
請求項６の考案は、前記前板部及び後板部の下端に内側への折曲部を有する請求項５に記載の嵩上げ用溝蓋に係る。
【考案の効果】
【００１１】
請求項１の考案に係る嵩上げ用溝蓋によれば、溝蓋本体下面側において、嵩上げ部が屈曲部材によって形成されているものであるから、従来の角パイプに比して、嵩上げ部の強度を低下させることなく、その使用する金属材料の使用量を抑制することができ、もってコストの低減化を可能となる。あわせて、重量の低減による運搬費等の低下や作業上の負担の低減を図ることが可能となる。
【００１２】
請求項２の考案は、請求項１において、前記屈曲部材が波形部材又は円弧形若しくはＵ字形若しくはＶ字形部材で構成されているものであるから、簡単な構成によって、嵩上げ部の強度を低下させることなく、その使用する金属材料の使用量を抑制することができる。また、その製作も容易である。
【００１３】
請求項３の考案は、請求項１又は２において、前記屈曲部材の屈曲方向が上下又は左右であることより、極めて簡単な構成によって、嵩上げ部の強度を低下させることなく、その使用する金属材料の使用量を抑制することができる。また、その製作も容易である。
【００１４】
請求項４の考案は、請求項３において、屈曲方向が上下である屈曲部材の谷部に補強板を立設したものであるから、前記屈曲部からなる嵩上げ部の形状の維持及び強度を確実に確保することができる。
【００１５】
請求項５の考案は、請求項１ないし４に記載の嵩上げ用溝蓋において、前記嵩上げ部の前後に前板部及び後板部を有するものであるから、簡単な構成によって、前記嵩上げ部の形状の維持及び強度を確保することができる。また、嵩上げ部の製作を容易かつ経済的に行うことが可能となる。
【００１６】
請求項６の考案は、請求項５において、前記前板部及び後板部の下端に内側への折曲部を有するものであるから、前記嵩上げ部の形状の維持及び強度の確保がより確実にすることができ、あわせて屈曲部材の取付も確実にできる。嵩上げ部の製作を容易かつ経済的に行うことが可能となる。
【考案を実施するための最良の形態】
【００１７】
以下添付の図面に従ってこの考案を詳細に説明する。
図１は嵩上げ部が波形部材よりなる屈曲部材によって形成された嵩上げ用溝蓋の実施例を表す斜視図、図２は嵩上げ部が円弧部材よりなる屈曲部材によって形成された嵩上げ用溝蓋の実施例を表す斜視図、図３は図２の嵩上げ部の斜視図、図４は波形部材よりなる屈曲部材によって形成された嵩上げ部の一部を省略した要部の断面図、図５は同じく他の例の波形部材を表す嵩上げ部の一部を省略した断面図、図６は同じくさらに別の例の波形部材を表す嵩上げ部の一部を省略した断面図、図７は円弧部材の例を表す嵩上げ部の一部を省略した断面図、図８は円弧部材の他の例を表す嵩上げ部の一部を省略した断面図、図９はＵ字形部材の例を表す嵩上げ部の一部を省略した断面図、図１０はＶ字形部材の例を表す嵩上げ部の一部を省略した断面図、図１１は嵩上げ部の屈曲部材の屈曲方向が左右である例を示す溝蓋の下面図、図１２は図１１の溝蓋の上側斜視図、図１３は図１１の屈曲部材の斜視図、図１４は前板部及び後板部を有する嵩上げ部の斜視図、図１５は嵩上げ用溝蓋の設置状態を表す断面図、図１６は同じく嵩上げ用溝蓋の設置状態を表す別の切断面からの断面図である。
【００１８】
図１に示したように、この考案の溝蓋Ｇは、溝蓋本体Ｍの下面側に形成された嵩上げ部Ｋが屈曲部材１０によって形成されていることを特徴とする。この嵩上げ部Ｋは、上板部４０と前板部２０と後板部３０とを有し、その内側に波形部材１１からなる屈曲部材１０が取り付けられている。さらに、波形部材１１からなる屈曲部材１０の谷部には補強板５０が立設されている。
【００１９】
図２の溝蓋Ｇ２は、嵩上げ部Ｋが円弧部材１５からなる屈曲部材１０によって形成されたものである。図３に示すように、嵩上げ部Ｋを構成する上板部４０、前板部２０、後板部３０、屈曲部材１０（１５）、補強板５０は溶接によって溶着されている。図において図１と同一符号は同一部材を表す。
【００２０】
図４ないし図１０は嵩上げ部Ｋを形成する屈曲部材１０の様々なバリエーションを表したものである。図４は大きな波からなる波形部材１２の例、図５は谷と山の大きさが異なる波形部材１３の例、図６は山部と谷部の接触面を大きくした波形部材１４の例、図７は大きな円弧状部材１６の例、図８は上下逆となったアーチ状の円弧状部材１７の例、図９はＵ字形部材１８の例、図１０はＶ字形部材１９の例である。なお、図９の符号１８ａは端部に使用される部分Ｕ字形屈曲部材を表す。
【００２１】
図示の例において、それぞれの屈曲部材１０は概ね８０ｍｍ〜２００ｍｍ前後の周期で連続形成されるが、必要な耐荷重性能に応じ、周期の大きさや強度計算がなされる。また、図４、図６、図７及び図８の嵩上げ部Ｋのように、必要により、屈曲部材１０の谷部に補強板５０を立設することができる。なお、円弧形若しくはＵ字形若しくはＶ字形部材からなる屈曲部材１６，１７，１８，１９の例にあっては、一枚の板状物を連続成形することも可能である。図において、前記と同一符号は同一構成を表す。
【００２２】
図示し請求項５の考案に規定したように、嵩上げ部Ｋにおいて、前板部２０及び後板部３０を設けたものにあっては、簡単な構成によって、前記嵩上げ部Ｋの形状の維持及び強度を確保することができる。また、嵩上げ部の製作を容易かつ経済的に行うことができる。
【００２３】
さらに、図４、図５、図６、図８、図１０及び図１４に図示し請求項６の考案として規定したように、前記前板部２０及び後板部３０の下端に内側への折曲部２１，３１を設けたものにあっては、嵩上げ部Ｋの形状の維持及び強度の確保がより確実にすることができるとともに、図示のように、各屈曲部材１０の端部を当該折曲部２１に当接することによってその取付を容易かつ確実にでき、嵩上げ部Ｋの製作を容易かつ経済的に行うことができる利点がある。
【００２４】
図１１ないし１３は屈曲方向が左右である屈曲部材９０を使用した例である。ここで屈曲部材９０は、図１ないし図１０で説明した屈曲方向が上下である屈曲部材１０の形状を左右方向に用いてもよいものである。この屈曲方向が左右である屈曲部材９０にあっては、図示のように、屈曲部材９０の下面側の全てが設地部分となるので、上下方向の強度に優れる。なお、図において、前記と同一符号は同一構成を表す。
【００２５】
図１５及び図１６は嵩上げ用溝蓋Ｇの設置状態を表す断面図である。図において符号Ｄはコンクリート製品からなる側溝である。図のように、この考案によれば、従来の角パイプに比して、嵩上げ部Ｋの強度を低下させることなく、その使用する金属材料の使用量を抑制することができ、もってコストの低減化を可能とし、あわせて、重量の低減による運搬費等の低下や作業上の負担の低減を図ることが可能となる。
【図面の簡単な説明】
【００２６】
【図１】嵩上げ部が波形部材よりなる屈曲部材によって形成された嵩上げ用溝蓋の実施例を表す斜視図である。
【図２】嵩上げ部が円弧部材よりなる屈曲部材によって形成された嵩上げ用溝蓋の実施例を表す斜視図である。
【図３】図２の嵩上げ部の斜視図である。
【図４】波形部材よりなる屈曲部材によって形成された嵩上げ部の一部を省略した要部の断面図である。
【図５】同じく他の例の波形部材を表す嵩上げ部の一部を省略した断面図である。
【図６】同じくさらに別の例の波形部材を表す嵩上げ部の一部を省略した断面図である。
【図７】円弧部材の例を表す嵩上げ部の一部を省略した断面図である。
【図８】円弧部材の他の例を表す嵩上げ部の一部を省略した断面図である。
【図９】Ｕ字形部材の例を表す嵩上げ部の一部を省略した断面図である。
【図１０】Ｖ字形部材の例を表す嵩上げ部の一部を省略した断面図である。
【図１１】嵩上げ部の屈曲部材の屈曲方向が左右である例を示す溝蓋の下面図である。
【図１２】図１１の溝蓋の上側斜視図である。
【図１３】図１１の屈曲部材の斜視図である。
【図１４】前板部及び後板部を有する嵩上げ部の斜視図である。
【図１５】嵩上げ用溝蓋の設置状態を表す断面図である。
【図１６】同じく嵩上げ用溝蓋の設置状態を表す別の切断面からの断面図である。
【図１７】従来の嵩上げ用溝蓋の例を示す斜視図である。
【符号の説明】
【００２７】
１０  屈曲部材
２０  前板部
２１  折曲部
３０  後板部
３１  折曲部
４０  上板部
５０  補強板
９０  屈曲部材
Ｇ    溝蓋
Ｍ    溝蓋本体
Ｋ    嵩上げ部
【図１】
0003142487.tif 000003
【図２】
0003142487.tif 000004
【図３】
0003142487.tif 000005
【図４】
0003142487.tif 000006
【図５】
0003142487.tif 000007
【図６】
0003142487.tif 000008
【図７】
0003142487.tif 000009
【図８】
0003142487.tif 000010
【図９】
0003142487.tif 000011
【図１０】
0003142487.tif 000012
【図１１】
0003142487.tif 000013
【図１２】
0003142487.tif 000014
【図１３】
0003142487.tif 000015
【図１４】
0003142487.tif 000016
【図１５】
0003142487.tif 000017
【図１６】
0003142487.tif 000018
【図１７】
0003142487.tif 000019